(57)【要約】通信システムにおいて、効率よく変調および復調プロセスを行う方法およびそれに伴う装置が提供される。送信機100 ではパイロットチヤンネルのパワーレベルに対する通信チヤンネルのパワーレベルの比が決定されてパワーレベル比が生成される。パワーレベル比は有限数のデジタルワード内で量子化される。直交振幅変調コンステレーションにおいて量子化された直交振幅変調距離が量子化されたパワーレベル比に基づいて決定される。直交振幅変調コンステレーション中の量子化された直交振幅変調距離は量子化されたパワーレベル比に基づいて決定される。直交振幅変調技術にしたがった信号は量子化された距離を使用して変調され、受信機へ送信される。【選択図】図５
2004533156.tif 000002
【特許請求の範囲】
【請求項１】
通信システムにおいて、パイロットチヤンネルの電力レベルに対する通信チヤンネルの電力レベルの比を決定して電力レベル比を生成し、
前記電力レベル比を量子化し、
前記量子化された電力レベル比を通信システムの送信機から受信機へ通信する方法。
【請求項２】
さらに、前記量子化された電力レベル比に基づいて直交振幅変調コンステレーションにおける量子化された直交振幅変調距離を計算し、
前記量子化された距離を使用して直交振幅変調技術にしたがって信号を変調する請求項１記載の方法。
【請求項３】
前記送信機から前記受信機へ前記変調された信号を送信する請求項２記載の方法。
【請求項４】
さらに、前記送信機から前記パイロットチヤンネルを受信し、
前記パイロットチヤンネルの受信された電力レベルを決定し、
前記決定されたパイロットチヤンネルの電力レベルおよび前記受信された量子化された電力比に基づいて前記通信チヤンネルの受信された電力レベルを計算する請求項３記載の方法。
【請求項５】
さらに、前記通信チヤンネルの受信された電力レベルに基づいて受信された変調距離を計算し、
前記受信された変調距離に基づいて受信された信号を復調する請求項４記載の方法。
【請求項６】
パイロットチヤンネルの電力レベルに対する通信チヤンネルの電力レベルの比を決定して電力レベル比を生成し、前記電力レベル比を量子化して量子化された電力レベル比を生成するように構成されている第１の制御装置と、
前記第１の制御装置に結合され、前記量子化された電力レベル比を通信する送信機とを具備しているデータシステムにおける装置。
【請求項７】
前記第１の制御装置はさらに、前記量子化された電力レベル比に基づいて量子化された直交振幅変調距離を計算するように構成されている請求項６記載の装置。
【請求項８】
さらに、直交振幅変調コンステレーション中の前記量子化された距離を使用して信号を直交振幅変調するように構成されている請求項７記載の装置。
【請求項９】
前記送信機は前記変調された信号を受信機に送信するように構成されている請求項８記載の装置。
【請求項１０】
前記受信機は前記量子化された電力レベル比を受信するように構成されている請求項９記載の装置。
【請求項１１】
前記受信機に結合されており、前記パイロットチヤンネルの受信された電力レベルを決定し、前記決定されたパイロットチヤンネルの電力レベルおよび前記量子化された電力レベルの比に基づいて前記通信チヤンネル電力レベルを計算するように構成されている第２の制御装置をさらに具備している請求項１０記載の装置。
【請求項１２】
前記第２の制御装置は前記通信チヤンネルの電力レベルに基づいて受信された変調距離を計算するように構成されている請求項１０記載の装置。
【請求項１３】
さらに、前記受信された変調距離に基づいて前記受信された信号を復調する復調装置を備えている請求項１２記載の装置。
【請求項１４】
パイロットチヤンネルに対する通信チヤンネルの量子化された電力レベル比を決定して量子化された直交振幅変調距離を決定するように構成されている第１の制御装置と、
直交振幅変調コンステレーション中の量子化された直交振幅変調距離を使用してに直交振幅変調技術にしたがって信号を変調するように構成されている変調装置と、
前記量子化された電力レベル比を受信し、受信された量子化された電力レベル比から受信された直交振幅変調距離を計算するように構成されている第２の制御装置と、
前記受信された直交振幅変調距離に基づいて前記受信された信号を復調するように構成されている復調装置とを具備している通信システム。
【請求項１５】
通信システムにおいて、パイロットチヤンネルの電力レベルに対する通信チヤンネルの電力レベルの比を決定して電力レベル比を生成し、
前記電力レベル比を量子化し、
前記量子化された電力レベル比に基づいて直交振幅変調コンステレーション中における量子化された直交振幅変調距離を計算し、
前記量子化された距離を使用して直交振幅変調技術にしたがって信号を変調し、
前記変調された信号を前記送信機から前記受信機に送信し、
送信機から前記パイロットチヤンネルを受信し、
前記パイロットチヤンネルの受信された電力レベルを決定し、
前記決定されたパイロットチヤンネルの電力レベルおよび前記受信された量子化された電力レベル比に基づいて前記通信チヤンネルの受信された電力レベルを計算し、
前記通信チヤンネルの受信された電力レベルから受信された変調距離を計算し、
前記受信された変調距離に基づいて前記受信された信号を復調する方法。
【発明の詳細な説明】
【技術分野】
【０００１】
本発明は、通信の技術分野に関し、特に、直交振幅変調を使用する通信に関する。
【従来の技術】
【０００２】
多レベル変調はデジタル信号の通信において使用されることができる。多レベル変調技術では、変調を表しているコンステレーション中の各点の変調レベルは変調プロセス中固定されている。多レベル変調技術の１つは直交振幅変調（ＱＡＭ）として通常知られている。ＱＡＭにおいては、コンステレーションは等距離のコンステレーションにより表されることができる。等距離のコンステレーション中の点は、コンステレーション中の全ての転転について２つの隣接する点の間の距離が等しいようにコンステレーション中に配置されている。点の間の距離は多レベル変調プロセス中の振幅の差を表している。
【発明の開示】
【発明が解決しようとする課題】
【０００３】
ＱＡＭ技術にしたがって変調された信号を受信する受信機は、受信された信号を復調するために振幅差、すなわちコンステレーション中の各点間の距離に関する情報に依存している。しばしば、振幅差、すなわち点間の距離は有限のデジット数を有するデジタルワードにより受信機に通信される。コンステレーション中の各点間の距離が伝送ごとに変化することのできるシステムでは、受信機は周期的に更新された値を通知する。振幅差、すなわちコンステレーション中の各点間の距離の値は、デジタルワードが有限の量子化により表される値の間に位置する。それ故、送信機は振幅差、すなわちコンステレーション中の各点間の距離の正確な値を通知することができない可能性がある。そのような量子化エラーは復調処理を不正確にし、結果的に貧弱な性能しか得られない。
【０００４】
そのため、およびその他の理由で、改良された通信システムが必要とされている。
【課題を解決するための手段】
【０００５】
通信システムにおいて、効率よく変調および復調プロセスを行う方法およびそれに伴う装置が提供される。送信機ではパイロットチヤンネルの電力レベルに対する通信チヤンネルの電力レベルの比が決定されて電力レベル比が生成される。電力レベル比は有限のデジタルワード内で量子化される。直交振幅変調コンステレーションにおいて量子化された直交振幅変調距離が量子化された電力レベル比から決定され、量子化された比は受信機に通知される。直交振幅変調技術にしたがった信号は量子化された距離を使用して変調される。
【発明を実施するための最良の形態】
【０００６】
本発明の特徴、目的、および効果は添付図面を参照にした以下の詳細な説明によってさらに明らかになるであろう。図において同様の参照符号は全体を通じて対応する素子を示している。
【０００７】
ＣＤＭＡ技術にしたがった無線通信のためのシステムは通信工業会（ＴＩＡ）により開示され、発行された種々の基準に記載されている。このような基準は通常ＴＩＡ／ＥＩＡ／ＩＳ-2000 、ＴＩＡ／ＥＩＡ／95Ａ／ＢおよびＷＣＤＭＡとして知られている。“第３世代パートナーシッププロジェクト”（３ＧＰＰ）はＷＣＤＭＡ基準として知られており、文献３Ｇ  ＴＳ 25.211 、３Ｇ  ＴＳ 25.212 、３Ｇ  ＴＳ 25.213 、３Ｇ  ＴＳ 25.214 を含む１組の文献中に記載され、“デュアルモード広帯域拡散スペクトルセルラシステム用のＴＩＡ／ＥＩＡ／95遠隔局−基地局両立基準”はＩＳ-95 基準として知られており、“ｃｄｍａ2000拡散スペクトルシステム用のＴＲ−45.5物理層基準”はＣＤＭＡ-2000 基準として知られており、これらはここで参考文献とされる。
【０００８】
一般的に説明すると、符号分割多元アクセス通信システムの送信機および受信機における効率のよい変調および復調プロセスのための優れた改良された方法およびそれに付随する装置が提供される。ここに記載された１以上の実施形態はデジタル無線データ通信システムのコンテキストに記載されている。このコンテキスト内の使用は有効であるが、本発明の異なった実施形態は異なった環境または形態で含まれてもよい。一般的に、ここに記載された種々のシステムはソフトウエア制御されたプロセッサ、集積回路、またはディスクリートな論理回路を使用して形成されることができる。データ、命令、指令、情報、信号、シンボル、およびこの明細書を通じて参照されるチップは、電圧、電流、電磁波、磁界または粒子、光フィールドまたは粒子、或いはそれらの組合わせにより有効に表されることができる。さらに各文献の図に示されているブロックはハードウエアまたは方法のステップを表すことができる。ここに記載された例示的な実施形態はデジタル通信システムのコンテキストで示されている。このコンテキスト内の使用は有効であるが、本発明の異なった実施形態は異なった環境または形態で含まれてもよい。一般的に、ここに記載された種々のシステムはソフトウエア制御されたプロセッサ、集積回路、またはディスクリートな論理回路を使用して形成されることができる。データ、命令、指令、情報、信号、シンボル、およびこの明細書を通じて参照されるチップは、電圧、電流、電磁波、磁界または粒子、光フィールドまたは粒子、或いはそれらの組合わせにより有効に表されることができる。さらに各文献の図に示されているブロックはハードウエアまたは方法のステップを表すことができる。
【０００９】
図１のＡおよびＢは種々の実施形態にしたがってデータの通信のために組合わせで動作する送信機100 と受信機160 の一般的なブロック図である。送信機100 は送信のために直交振幅変調（ＱＡＭ）にしたがって、種々実施形態にしたがって入力部101 におけるてしデータを変調する。変調された信号は受信機160 へ送信される。受信機160 は種々実施形態にしたがって送信機100 から信号を受信するように動作する。入力部101 におけるデジタルデータは電話、ビデオ、スピーチソースのような多くの異なった装置から生成されることができる。デジタルデータはデータ中に含まれる１および０を表すデジタル信号に変換される。デジタルフォーマットのデータビットはＱＡＭ技術にしたがって方形座標系の２次元プロットとして生成されるコンステレーションにマップされる。選択されたＱＡＭ技術は１６−ＱＡＭまたは６４−ＱＡＭのような多レベル変調であってもよい。ＱＡＭ技術にしたがってマップブロック102 は入力データビットをＩおよびＱデータシンボルにマップするために使用されることができる。ＩおよびＱデータシンボルをそれぞれ表す信号112 および111 が生成されることができる。生成されたＩおよびＱデータシンボルは種々の実施形態にしたがって送信機100 において変調される。
【００１０】
図２は例示的な１６−ＱＡＭコンステレーション200 を示している。マップブロック102 はコンステレーション200 を使用して入力データビットをＩおよびＱデータシンボルにマップする。例えば、１６−ＱＡＭにおいて、コンステレーション200 中のフェーザ(phaser)はＩおよびＱデータビットによって構成された４ビットデータシンボルにより表されることができる。方形軸201 および202 はそれぞれＩおよびＱコンポーネントを表している。ＩおよびＱの４象限コンポーネントは各軸から３ｄ，ｄ，−ｄ，および−３ｄの位置を割当てられる。データビット００００，１０００，１１００，および０１００によって表されるシンボルは各軸から距離“ｄ”に位置する。シンボル１０１１，００１１，０１１１，１１１１は各軸から距離“３ｄ”に位置する。他のシンボルはＩおよびＱ軸のいずれからも“ｄ”または“３ｄ”の距離にある。隣接する全てのシンボルは互いに等しい距離にある。Ｉコンポーネントデータシンボルを変調するために、データシンボルの継続期間に対するデータシンボルを表す信号の振幅はＩ軸からの距離と整合するために調節される。同様に、Ｑコンポーネントデータシンボルを変調するために、データシンボルの継続期間に対するデータシンボルを表す信号の振幅はＱ軸からの距離を整合するために調節される。
【００１１】
図３は、振幅がコンステレーション200 にしたがって変調された後の例示的な信号300 の時間に関する振幅が示されている。信号300 はＩおよびＱコンポーネント信号のいずれであってもよく、すなわち信号111 または112 のいずれであってもよい。例えば、“期間０からＴ”中、信号300 は“３”ユニットに調節され、“Ｔから５Ｔ”の期間中、“１”ユニットに調節される。“１”ユニットは構成において電圧、電流、またはデジタルワードであってもよい。
【００１２】
図１のＡを参照すると、ＩおよびＱ信号111 または112 はフィルタ103 に転送され、線形位相のローパスフィルタの動作により適切に濾波される。濾波された信号はミキサ105 に供給され、発振器106 の搬送波が変調される。その結果生じた信号は加算器107 で加算される。ミキサ108 は加算された信号を受信機160 に送信するために適当な周波数に上方変換される。アンテナ110 から送信する前に増幅器109 が信号を増幅してもよい。
【００１３】
受信機160 は伝搬チヤンネルで伝送された送信された信号をアンテナ161 で受信する。ミクサ162 は受信された信号をＩおよびＱ復調のために適当な周波数に下方変換してＩ信号167 およびＱ信号168 を生成する。フィルタ164 はデマップブロック165 に入力される前に信号167 および168 を濾波するために使用される。信号167 および168 はデジタル化されてもよい。デジタル処理は信号をサンプリングすることにより信号の振幅を表すデジタルワードを生成する。デマップブロック165 は正確なサンプリング瞬間にＩおよびＱ信号167 および168 をサンプリングすることにより送信機100 により送信された最も可能性の高いビットを決定し、それらを例えばコンステレーション200 にしたがって−３ｄ，−ｄ，ｄ，３ｄの正当な値と比較する。各信号から２ビットが得られる。得られたビットは４ビット１６ＱＡＭシンボルに導かれる。４つの再生されたビットはその後受信されたデータシンボルとして出力166 から出力される。
【００１４】
制御装置150 は送信機100 中に示されているように電力増幅器109 の電力レベルを計算するために複数のファクターを考慮にいれる。制御装置150 は送信機100 と受信機160 との間の伝搬路損失および低速および高速フェーディングマージンのようなファクターを考慮する。電力増幅器109 の電力レベルは送信機100 と受信機160 との間の電力制御方式に基づいて計算されることができる。送信機100 と受信機160 はまた既知の通信システムの任意のものと一致する方式にしたがって通信することもできる。そのような通信システムは一般に予め定められた仕様にしたがって動作する。知られている２つの仕様はＷＣＤＭＡ仕様とｃｄｍａ２０００仕様であり、ここで参考文献とされる。これらの仕様のコピーはフランスの３ＧＰＰサポートオフィスとコンタクトすることにより得られる。ＷＣＤＭＡ基準とｃｄｍａ２０００基準はまた送信機100 と受信機160 との間の電力制御方式の概要を示している。
【００１５】
送信機100 と受信機160 との間の通信は幾つかの異なったタイプの物理的チヤンネルで行われることができる。一般に３つのタイプのチヤンネルがある。すなわち、オーバーヘッドチヤンネルと、専用トラフィックチヤンネルと、共通トラフィックチヤンネルである。オーバーヘッドチヤンネルは、共通パイロットチヤンネル、同期チヤンネル、ページングチヤンネルおよび放送チヤンネルのようなシステムの適切な機能に対して本質的なチヤンネルから構成されている。オーバーヘッドチヤンネルは通常一定の電力で送信され、通常他のどのタイプのチヤンネルよりも優先度が高い。専用トラフィックチヤンネルは送信機から１つの特定の受信機に情報を伝送し、通常電力制御機構によって電力を制御され、しばしば共通トラフィックチヤンネルにまさる優先度を有している。共通トラフィックチヤンネルは送信機から複数の受信機に情報を伝送する。共通トラフィックチヤンネルは同時に複数の受信機にマルチキャスト情報を送信するために使用され、或いは時分割、符号分割、または周波数分割方式で複数の受信機間で共用される。
【００１６】
送信機100 は通常予め定められた送信電力レベルまたはそれより下のレベルで送信するように制限されている。送信電力は政府の基準、またはシステムの設計、或いはそれら両者により設定されることができる。図４を参照すると、異なったチヤンネルに割当てられた例示的な電力レベルの時間による変化のグラフが示されている。送信機100 は最大電力レベル（Ｅmax.）で送信することを可能にされている。電力レベル“Ｅp ”はオーバーヘッドチヤンネルに割当てられている。この例では、オーバーヘッドチヤンネルは単一のパイロットチヤンネルから成っている。“Ｅmax.”と“Ｅp ”との間の電力レベルの差は複数の専用トラフィックチヤンネルと１つの共通トラフィックチヤンネルのような他のチヤンネルに割当てられてもよい。例えば、もしも、“Ｅd ”が専用トラフィックチヤンネルに割当てられた電力レベルの量であるならば、残された電力レベル“Ｅc ”は全体の電力レベルが“Ｅmax.”電力レベルを越えることなく共通トラフィックチヤンネルに割当てることが決定される。専用トラフィックチヤンネルに割当てられた電力レベルは電力制御によって時間と共に変化するから、電力レベル“Ｅc ”はもまた対応して変化して全体の電力レベルを“Ｅmax.”以下に維持する。
【００１７】
共通トラフィックチヤンネルはＱＡＭまたは位相シフトキーイング（ＰＳＫ）のような異なった変調方式を使用することができる。ＰＳＫ変調は電力の変動に敏感ではない。それはそのデコードがコンステレーション点間の位相差にのみ依存しているからである。他方、ＱＡＭ変調は大抵の場合に適切なデコードがコンステレーション点の位相および振幅に依存している。例えば図２を参照すると、コンステレーション点００１１および００００は位相だけでは区別することはできない。その理由はそれら両者はＩ軸に関して４５度の位相を有しているからである。共通トラフィックチヤンネルに割当てられた電力レベル“Ｅc ”はＱＡＭ変調された信号の送信中は実質上一定に維持される。他方、信号がＰＳＫまたは幾つかの他の変調を使用して変調されている場合には、電力“Ｅc ”はダイナミックに変化して最も可能な残りの送信電力を使用する。
【００１８】
専用のトラヒックチヤンネルの電力レベルは通常比率により決定される。幾つかのタイプの専用のトラヒックチヤンネルが通信システム中に含まれてもよい。専用のトラヒックチヤンネルの１例は移動局と基地局との間のトラヒックチヤンネルである。専用のトラヒックチヤンネルの電力レベルは通常制御される。専用のトラヒックチヤンネルの電力レベルの制御のために、パイロットチヤンネルの電力レベルに対する専用のトラヒックチヤンネルの電力レベルの比（Ｅd ／Ｅp ）はある比率に設定される。この比は各チヤンネルの電力レベルを制御する電力制御方式から導出されることができる。共通トラヒックチヤンネルの電力レベルは同様に共通トラヒックチヤンネルとパイロットチヤンネルの電力レベルとの比（Ｅc ／Ｅp ）に等しく設定される。パイロットチヤンネルの電力レベルはまた送信機100 と受信機160 との間の電力制御方式によって決定されることができる。電力レベル比（Ｅc ／Ｅp ）および（Ｅd ／Ｅp ）はまた各チヤンネルにより通信されている情報のデータレートに基づいて決定されてもよい。通常、送信機100 は最大電力レベル“Ｅmax ”で送信しようとする。パイロットチヤンネルの電力レベルを決定した後、他のチヤンネルの電力は、全体の電力があるレベルにあるか、または“Ｅmax ”レベルに近付くように選択される。それ故、パイロットチヤンネルの電力レベルが決定されると、他のチヤンネルの電力レベルもまた電力レベル比およびは“Ｅmax ”レベルに基づいて容易に決定される。
【００１９】
共通トラヒックチヤンネルはＱＡＭ技術を使用して変調されることができる。ＱＡＭ変調された共通トラヒックチヤンネルに対する電力レベルＥc を決定した後、変調振幅もまた、結果的に得られる信号の電力レベルが最大電力レベル“Ｅmax ”を越えるピークがないように決定される。制御装置150 は、共通トラヒックチヤンネルの電力レベルが電力比Ｅc ／Ｅp にしたがって維持されるようにコンステレーション中の距離“ｄ”を計算する。距離“ｄ”はマップブロック102 に通知されてもよい。距離“ｄ”の値はまたＱＡＭ変調された信号の電力レベルから導出されてもよい。ある１つの計算では、ＱＡＭ変調された信号の電力レベル“Ｅc ”は１０＊ｄ＊＊２（“ｄ”の２乗の１０倍）に等しくすることができる。それ故、変形として、“Ｅc ”の値はマップブロック102 に通知されることができる。この場合に、“ｄ”の値は“Ｅc ”の値から計算される。
【００２０】
“Ｅmax ”レベルより下に最大電力レベルを維持するのに加えて、電力レベル比Ｅc ／Ｅp は送信機100 と受信機160 との間の電力制御方式にしたがって変化させることができる。その場合には、パイロットチヤンネルの電力レベル（Ｅp ）は一定に維持され、共通トラヒックチヤンネルに対する所望の電力レベルが電力制御方式にしたがって変化される必要がある。その結果、比はまた共通トラヒックチヤンネルの電力レベルにしたがって変化する。共通トラヒックチヤンネルの電力レベルは各送信の都度変化させることができる。このように、変調距離“ｄ”は電力レベルに影響するから、制御装置150 は各送信に対して変調距離“ｄ”に対する新しい値を計算する。送信機100 は距離“ｄ”に関する情報をＱＡＭ変調された共通トラヒックチヤンネルの送信と同時にまたは送信に先立って受信機160 に通報する。その代りに、新しい値は送信の後で通知されてもよい。受信されたシンボルはデマップブロック165 でデマップされる前にバッファされる。新しい値が到着すると、デマップブロック165 は適切に動作する。情報は距離“ｄ”の値を表し、或いはその情報から導出されることができる。受信機160 の制御装置190 は受信された値“ｄ”をデマップブロック165 に通知する。デマップブロック165 は受信された距離“ｄ”の値を使用して復調処理におけるデータビット値を決定する。その代りに、比Ｅc ／Ｅp の値が受信機160 に通知されてもよい。制御装置190 はＥc ／Ｅp の値を使用して変調処理において使用された“ｄ”の値に到達してもよい。受信機160 はパイロットチヤンネルの電力レベル“Ｅp ”を最初に決定してもよい。“Ｅp ”とＥc ／Ｅp とを乗算することにより“Ｅc ”の値が決定されることができる。距離“ｄ”はその後“Ｅc ”の値から導出されることができる。情報はデマップブロック165 において使用され、正確に変調処理を行うことができる。マップブロック102 はＱＡＭ変調のためのコンステレーションを形成するときに距離“ｄ”を使用する。
【００２１】
距離“ｄ”またはＥc ／Ｅp の値は有限のビット数のデジタルワードにより通知されることができる。例えば、デジタルワードは２つの隣接するワードにより表された差値の半分に等しい最大量子化エラーを有している。コンステレーション中の距離“ｄ”の値がデジタルワードにより正確に表されることができない場合には、距離“ｄ”について通知された値は正確な値ではない。同様にＥc ／Ｅp の値がデジタルワードにより正確に表されることができない場合には、比Ｅc ／Ｅp の通知された値は正確な値ではない。それ故、受信機160 は、変調処理で送信機100 により使用された値とは異なった値の距離“ｄ”またはＥc ／Ｅp の値を復調処理において使用することができる。そのようなエラーは受信されたデータビットの値の決定における性能を低下させ、したがって、受信されたビットのエラー率を劣化させる。
【００２２】
本発明の種々の実施形態によれば、図５は受信機160 における変調距離“ｄ”の適切な使用のための送信機100 に対するフロー図500 を示している。フロー図500 の種々のステップは送信機100 の制御装置150 において行われることができる。ステップ501 ，502 ，503 においてそれぞれ“Ｅmax ”，“Ｅp ”，“Ｅc ”が決定される。ステップ504 において、制御装置150 は量子化された比Ｅc ／Ｅp ［（Ｅc ／Ｅp ）Ｑ］を決定する。例えばもしも、比Ｅc ／Ｅp を表すために使用されたデジタルワードが５ビットに制限されているならば、３２の可能な比が表される。比Ｅc ／Ｅp の値が２つの隣接するワードにより表される２つの隣接する値の間に入る場合には、１実施例によれば２つのうちの低いほうの値が（Ｅc ／Ｅp ）Ｑに対して選択される。したがって、量子化された比Ｅc ／Ｅp ［（Ｅc ／Ｅp ）Ｑ］は比Ｅc ／Ｅp よりも小さいであろう。ステップ505 において“Ｅc ”（Ｅc Ｑ）が決定される。“Ｅc Ｑ”の値を決定するために量子化された比（Ｅc ／Ｅp ）Ｑが“Ｅp ”の値と乗算される。通常は、変調距離と変調された信号の電力レベルとの間には関係がある。１例では、“Ｅc ”は距離“ｄ”の２乗の１０倍に等しい。このように量子化された距離“ｄＱ”は“Ｅc Ｑ”に基づいてステップ506 において決定される。“ｄＱ”の値は送信機100 における変調処理のためにステップ507 において使用される。マップブロック102 は変調処理のために“ｄＱ”の値を使用することができる。ステップ508 において、送信機100 はデジタルワードにより正確に表されるように（Ｅc ／Ｅp ）Ｑの値を受信機160 に通報する。種々の実施形態によれば、受信機160 に通報されたワードは変調処理で使用された比Ｅc ／Ｅp の正確な値を表している。
【００２３】
受信機160 において、受信信号の復調動作は変調処理で使用された比Ｅc ／Ｅp の正確な値により行われることができる。比Ｅc ／Ｅp の正確な値は受信機160 に通知されるから、復調処理はより正確に行われる。受信機160 において、パイロットチヤンネルの電力レベルが測定される。受信されたパイロットチヤンネルの値は通信チヤンネルの受信された電力レベルに対する値を導出するために使用される。受信されたパイロットチヤンネルの電力レベル（Ｅp Ｒ）が受信された比Ｅc ／Ｅp によって乗算されて受信された電力レベル（Ｅc Ｒ）に到達する。変調距離に対する値は、ＱＡＭ信号の電力レベルと変調距離との間の関係に基づいて“Ｅc Ｒ”から導出されることができる。導出された変調距離は、デマップブロック165 でデマップ処理を行うために使用されるとき、受信機160 におけるさらに正確な復調処理を可能にする。
【００２４】
当業者はさらに、種々の例示的な論理ブロック、モジュール、回路、およびここに開示された実施形態に関連して記載されたアルゴリズムステップが電子ハードウエア、コンピュータソフトウエア、またはそれら両者の組合わせとして構成されることができることを認識するであろう。このハードウエアとソフトウエアの交換が可能であることを明瞭に示すために、種々の例示的なコンポーネント、ブロック、モジュール、回路、およびステップがその機能性に関して一般的に上述された。このような機能性がハードウエアとして構成されるか、ソフトウエアとして実施されるかは特定の応用と全体のシステムに与えられた設計の制約に依存している。熟練した技術者はそれぞれの特定の応用に対して種々の方法で記載された機能を実施することができるが、そのような実施の決定は本発明の技術的範囲から逸脱するものと考えてはならない。
【００２５】
ここに開示された実施形態に関連して説明した種々の例示的な論理ブロック、モジュール、および回路は、汎用プロセッサ、デジタル信号プロセッサ（ＤＳＰ）、用途特定集積回路（ＡＳＩＣ）、フィールドプログラム可能なゲートアレイ（ＦＰＧＡ）、またはその他のプログラム可能な論理装置、ディスクリートゲートまたはトランジスタ論理装置、ディスクリートなハードウエアコンポーネント、またはここに記載された機能を行うことのできるそれらの任意の組合わせにより実施されることができる。汎用プロセッサはマイクロプロセッサでもよいが、その代りにプロセッサは任意の通常のプロセッサ、制御装置、マイクロ制御装置、または状態マシンであってもよい。プロセッサはまた計算装置の組合わせ、例えば、ＤＳＰとマイクロプロセッサの組合わせ、複数のマイクロプロセッサ、ＤＳＰコアと結合された１以上のマイクロプロセッサ、その他の任意のそのような構成として形成されることができる。
【００２６】
ここに開示された実施形態に関連して説明した方法またはアルゴリズムのステップはハードウエアを使用して直接、またはプロセッサにより実行されるソフトウエアモジュールを使用して、或いは組合わせによって実施されることができる。ソフトウエアモジュールはＲＡＭメモリ、フラッシュメモリ、ＲＯＭメモリ、ＥＰＲＯＭメモリ、ＥＥＰＲＯＭメモリ、レジスタ、ハードディスク、取外し可能なディスク、ＣＤＲＯＭ、或いは技術で知られているその他の任意の記憶媒体中に位置されることができる。例示的な記憶媒体は、プロセッサが記憶媒体から情報を読取ることができ、そこに情報を書込むことができるようにプロセッサに結合されている。その代りに、記憶媒体はプロセッサと一体であってもよい。プロセッサと記憶媒体とはＡＳＩＣ中に配置されてもよい。そのＡＳＩＣはユーザ端末に配置されることができる。その代りに、プロセッサと記憶媒体とはユーザ端末にディスクリートな部品として配置されてもよい。
【００２７】
前述の好ましい実施形態の説明は当業者が本発明を構成し、使用することを可能にするために記載されたものである。これらの実施形態の種々の変形は当業者に明白であり、ここに規定された一般的な原理は発明力を要することなく他の実施形態に適用可能である。したがって、本願発明はここに記載されている実施形態に限定されることを意図するものではなく、ここに開示された原理および新しい特徴に一致した広い範囲にしたがうべきものである。
【図面の簡単な説明】
【００２８】
【図１】種々の実施形態にしたがって動作する送信機および受信機のブロック図。
【図２】例示的な直交コンステレーションの概略図。
【図３】直交振幅変調された信号の振幅と時間のグラフ。
【図４】時間に対して異なったチヤンネルに割当てられた例示的な電力レベルを表しているグラフ。
【図５】本発明の種々の実施形態による受信機と送信機における変調距離“ｄ”の適切な使用を行うためのフロー図。
【図１】
2004533156.tif 000003
【図２】
2004533156.tif 000004
【図３】
2004533156.tif 000005
【図４】
2004533156.tif 000006
【図５】
2004533156.tif 000007
【国際公開パンフレット】
2004533156.tif 000008
2004533156.tif 000009
2004533156.tif 000010
2004533156.tif 000011
2004533156.tif 000012
2004533156.tif 000013
2004533156.tif 000014
2004533156.tif 000015
2004533156.tif 000016
2004533156.tif 000017
2004533156.tif 000018
2004533156.tif 000019
2004533156.tif 000020
2004533156.tif 000021
2004533156.tif 000022
2004533156.tif 000023
2004533156.tif 000024
2004533156.tif 000025
2004533156.tif 000026
2004533156.tif 000027
2004533156.tif 000028
2004533156.tif 000029
2004533156.tif 000030
2004533156.tif 000031
2004533156.tif 000032
2004533156.tif 000033
【国際調査報告】
2004533156.tif 000034
2004533156.tif 000035